(57)【特許請求の範囲】
【請求項１】
複数のデータを複数種のパラメータに応じて仮想的な複数次元に配列するデータ配列手段と、
前記データ配列手段により配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する指標表示手段と、
前記複数のデータ送りが可能な方向の中から任意の方向が選択されてその方向へのデータ送りが指示された際に、その指示方向にデータを送って表示対象を更新する更新手段と、
を備え、
前記指標表示手段は、前記データ送りが不可能な方向に対しては、前記複数のデータの配列状態に関する情報を表示せず、
前記複数のデータの配列状態に関する情報は、前記表示対象として選択されている表示中のデータを起点として各次元の配列方向にデータ送りが可能なデータ数であり、
前記指標表示手段は、前記複数のデータ送りが可能な方向の個々に対応付けて、前記データ送りが可能なデータ数を表示する、
ことを特徴とするデータ表示装置。
【請求項２】
前記指標表示手段は、前記複数のデータの配列状態に関する情報として、表示中のデータの背後に、データ送り方向別にデータ送りが可能なデータをその一端部がはみ出るようにその表示位置をずらしながらデータ送りが可能なデータ数分重ね合わせて表示する、
ことを特徴とする請求項１に記載のデータ表示装置。
【請求項３】
前記指標表示手段は、前記配列状態に関する情報として、データ送り方向別にデータ送りが可能なデータ数を明示するために、そのデータ数を数値表示する、
ことを特徴とする請求項１に記載のデータ表示装置。
【請求項４】
前記複数のデータの配列状態に関する情報は、前記複数のデータ送りが可能な方向と前記複数種のパラメータとの対応関係に関する情報であり
前記指標表示手段は、前記各複数のデータ送りが可能な方向に対応付けて前記パラメータの種類を示す表示を行う、
ことを特徴とする請求項１〜請求項３のいずれか１項に記載のデータ表示装置。
【請求項５】
前記複数種のパラメータは、複数種の撮影パラメータであって、
前記複数のデータは、前記複数種の撮影パラメータを変更しながら複数回の撮影動作を連続して行うブラケット撮影によって得られた複数枚の撮影画像である、
ことを特徴とする請求項１〜請求項４のいずれか１項に記載のデータ表示装置。
【請求項６】
前記ブラケット撮影用の複数種の撮影パラメータと撮影枚数を任意に設定するのに用いられる第１の設定手段を更に備え、
前記ブラケット撮影は、前記複数種の撮影パラメータを変更しながら前記撮影枚数分の連続撮影を行う、
ことを特徴とする請求項５に記載のデータ表示装置。
【請求項７】
前記第１の設定手段は、前記撮影パラメータ毎に任意の撮影枚数を設定するのに用いられる、
ことを特徴とする請求項６に記載のデータ表示装置。
【請求項８】
前記複数のデータは、複数種の撮影パラメータを変更しながら複数回の撮影動作を連続して行うブラケット撮影によって得られた複数枚の撮影画像であり、
前記ブラケット撮影された複数枚の撮影画像と、１枚撮影された画像とが混在して記憶されている状態において、前記１枚撮影の画像を送るユーザ操作と同様の１回のユーザ操作で、前記ブラケット撮影された複数枚の撮影画像を単位としてグループ送りするのに用いられる操作手段を更に備える、
ことを特徴とする請求項５〜請求項７のいずれか１項に記載のデータ表示装置。
【請求項９】
前記ブラケット撮影用の複数種の撮影パラメータと前記複数のデータ送りが可能な方向との対応関係を任意に設定するのに用いられる第２の設定手段を更に備える、
ことを特徴とする請求項５〜請求項８のいずれか１項に記載のデータ表示装置。
【請求項１０】
前記複数のデータの表示形態を一覧表示と個別表示とで切替える切替手段を更に備える、
ことを特徴とする請求項１〜請求項９のいずれか１項に記載のデータ表示装置。
【請求項１１】
前記更新手段によって表示対象として更新されたデータが個別に表示されている状態において、その表示中のデータが前記複数次元の配列内のどの位置に配列されているかを案内表示する案内手段を更に備える、
ことを特徴とする請求項１〜請求項１０のいずれか１項に記載のデータ表示装置。
【請求項１２】
複数のデータを複数種のパラメータに応じて仮想的な複数次元に配列する処理と、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する処理と、
前記複数のデータ送りが可能な方向の中から任意の方向が選択されてその方向へのデータ送りが指示された際に、その指示方向にデータを送って表示対象を更新する処理と、
を含み、
前記配列状態に関する情報を識別可能に表示する処理で、前記複数のデータ送りが不可能な方向に対しては、前記データの配列状態に関する情報を表示せず、
前記複数のデータの配列状態に関する情報は、前記表示対象として選択されている表示中のデータを起点として各次元の配列方向にデータ送りが可能なデータ数であり、
前記配列状態に関する情報を識別可能に表示する処理で、前記複数のデータ送りが可能な方向の個々に対応付けて、前記データ送りが可能なデータ数を表示する、
ことを特徴とするデータ表示方法。
【請求項１３】
コンピュータに対して、
複数のデータを複数種のパラメータに応じて仮想的な複数次元に配列する機能と、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する機能と、
前記複数のデータ送りが可能な方向の中から任意の方向が選択されてその方向へのデータ送りが指示された際に、その指示方向にデータを送って表示対象を更新する機能と、
を実現させ、
前記指標表示機能で、前記データ送りが不可能な方向に対しては、前記複数のデータの配列状態に関する情報を表示せず、
前記複数のデータの配列状態に関する情報は、前記表示対象として選択されている表示中のデータを起点として各次元の配列方向にデータ送りが可能なデータ数であり、
前記指標表示機能で、前記複数のデータ送りが可能な方向の個々に対応付けて、前記データ送りが可能なデータ数を表示する、
ことを特徴とするプログラム。
【発明の詳細な説明】
【技術分野】
【０００１】
本発明は、複数のデータの表示を制御するデータ表示装置、データ表示方法及びプログラムに関する。
【背景技術】
【０００２】
一般に、デジタルスチルカメラなどの撮像装置に備えられているオートブラケット撮影機能は、撮影パラメータ（例えば、露出、ホワイトバランスなど）の基準値及びその基準値を変更した値に基づいて複数回の高速撮影を連続して行うようにしている。このオートブラケット撮影機能用の撮影パラメータとしては、１種類だけではなく、例えば、特許文献１に示すように、ホワイトバランス、露出、彩度、シャープネスなどの中から任意に選択された複数種の撮影パラメータの値を変えながら複数回の撮影を連続して行うことで、画像の状態が少しずつ異なる複数の画像を取得するようにした技術が知られている。
【先行技術文献】
【特許文献】
【０００３】
【特許文献１】特開２００６−６７４６４号公報
【発明の概要】
【発明が解決しようとする課題】
【０００４】
しかしながら、上述した特許文献の技術にあっては、オートブラケット撮影（以下、ブラケット撮影）された画像の状態が少しずつ異なる複数枚の撮影画像を同じサイズで表示画面上に並べてサムネイル表示するものであるため、複数画像の関連性は見やすくなるが、複数種の撮影パラメータを組合せてブラケット撮影を行った場合には、それだけ撮影画像数が多くなってしまう。したがって、このような多くの画像をサムネイル画像として一覧表示することは、個々の画像のサイズが小さくなって見づらくなり、ユーザが一覧画面から撮影パラメータの組合せによる個々の画像の微妙な違いを確認しようとしても、小さい画像からはその微妙な違いまでも確認することが困難なものとなり、ブラケット撮影を行った意味が薄れてしまう。
【０００５】
本発明の課題は、多くのデータの内容をユーザが個別に詳細確認するような場合でも、その関連性を分かり易く表示して確認作業を効率良く実行できるようにすることである。
【課題を解決するための手段】
【０００６】
上述した課題を解決するために本発明のデータ表示装置は、
複数のデータを複数種のパラメータに応じて仮想的な複数次元に配列するデータ配列手段と、
前記データ配列手段により配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する指標表示手段と、
前記複数のデータ送りが可能な方向の中から任意の方向が選択されてその方向へのデータ送りが指示された際に、その指示方向にデータを送って表示対象を更新する更新手段と、
を備え、
前記指標表示手段は、前記データ送りが不可能な方向に対しては、前記複数のデータの配列状態に関する情報を表示せず、
前記複数のデータの配列状態に関する情報は、前記表示対象として選択されている表示中のデータを起点として各次元の配列方向にデータ送りが可能なデータ数であり、
前記指標表示手段は、前記複数のデータ送りが可能な方向の個々に対応付けて、前記データ送りが可能なデータ数を表示する、
ことを特徴とするデータ表示装置である。
【０００７】
上述した課題を解決するために本発明のデータ表示方法は、
複数のデータを複数種のパラメータに応じて仮想的な複数次元に配列する処理と、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する処理と、
前記複数のデータ送りが可能な方向の中から任意の方向が選択されてその方向へのデータ送りが指示された際に、その指示方向にデータを送って表示対象を更新する処理と、
を含み、
前記配列状態に関する情報を識別可能に表示する処理で、前記複数のデータ送りが不可能な方向に対しては、前記データの配列状態に関する情報を表示せず、
前記複数のデータの配列状態に関する情報は、前記表示対象として選択されている表示中のデータを起点として各次元の配列方向にデータ送りが可能なデータ数であり、
前記配列状態に関する情報を識別可能に表示する処理で、前記複数のデータ送りが可能な方向の個々に対応付けて、前記データ送りが可能なデータ数を表示する、
ことを特徴とするデータ表示方法である。
【０００８】
上述した課題を解決するために本発明のプログラムは、
コンピュータに対して、
複数のデータを複数種のパラメータに応じて仮想的な複数次元に配列する機能と、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する機能と、
前記複数のデータ送りが可能な方向の中から任意の方向が選択されてその方向へのデータ送りが指示された際に、その指示方向にデータを送って表示対象を更新する機能と、
を実現させ、
前記指標表示機能で、前記データ送りが不可能な方向に対しては、前記複数のデータの配列状態に関する情報を表示せず、
前記複数のデータの配列状態に関する情報は、前記表示対象として選択されている表示中のデータを起点として各次元の配列方向にデータ送りが可能なデータ数であり、
前記指標表示機能で、前記複数のデータ送りが可能な方向の個々に対応付けて、前記データ送りが可能なデータ数を表示する、
ことを特徴とするプログラム。
【発明の効果】
【０００９】
本発明によれば、多くのデータの内容をユーザが個別に詳細確認するような場合でも、その関連性を分かり易く表示して確認作業を効率良く実行することができ、操作性及び利便性に富んだものとなる。
【図面の簡単な説明】
【００１０】
【図１】複数のデータを個別に表示するデータ表示装置として適用したデジタルカメラの基本的な構成要素を示したブロック図。
【図２】ブラケット撮影機能用の撮影パラメータに関する変化条件（撮影パラメータ、基準値、振り幅、撮影枚数）を選択するための選択画面を示した図。
【図３】ブラケット撮影によって得られた複数の画像（一連の画像）を示した図。
【図４】（１）、（２）は、ブラケット撮影された一連の画像を２種類の撮影パラメータに応じて仮想的に二次元配列した場合の配列状態を示した図。
【図５】（１）、（２）は、撮影画像の再生モードにおいて、所望する画像を選択して個別表示させる場合の送り操作を説明するための図。
【図６】ブラケット撮影された一連の画像のうち表示中の画像を中心として、その上下左右の方向に画像送りを行った場合の表示状態を示した図。
【図７】シーン別ブラケットＡテーブル３ｄを説明するための図。
【図８】シーン別ブラケットＢテーブル３ｅを説明するための図。
【図９】電源投入に応じて実行開始されるデータ表示装置（デジタルカメラ）の動作（本実施形態の特徴的な動作）を説明するためのフローチャート。
【図１０】図９の動作に続くフローチャート。
【図１１】図１０の動作に続くフローチャート。
【図１２】図１１の動作に続くフローチャート。
【図１３】ブラケット撮影に先だってシーンを選択するための選択画面（メニュー画面）を例示した図。
【図１４】ブラケット撮影された一連の画像を一覧表示するサムネイル一覧画面を例示した図。
【図１５】（１）、（２）は、実施形態の変形例として、送り枚数を方向別に数値表示する場合を例示した図。
【図１６】（１）、（２）は、実施形態の変形例において、パラメータ名の指標表示に、他の情報を組合せた場合の変形例を説明するための図。
【図１７】（１）、（２）は、実施形態の変形例を示し、パラメータが４種類の場合を例示した図。
【図１８】１枚撮影された画像に適用した場合を例示した図。
【図１９】（１）、（２）は、実施形態の変形例において、複数のデータをテキストデータに適用した場合を示した図。
【発明を実施するための形態】
【００１１】
以下、図１〜図１４を参照して本発明の実施形態を説明する。
本実施形態は、複数のデータを個別に表示するデータ表示装置としてデジタルカメラ（撮像装置）に適用した場合を示し、図１は、このデジタルカメラの基本的な構成要素を示したブロック図である。
デジタルカメラは、静止画像のほかに動画像の撮影も可能なデジタルコンパクトカメラであり、撮像機能、計時機能などの基本的な機能のほかに、撮像機能の一つとして、ブラケット撮影機能を備えている。このブラケット撮影機能は、１回のシャッタ操作で、撮影パラメータに対応してそのパラメータの種類毎にそのパラメータ値を変更しながら同一の被写体を複数回連続して撮影することによって複数の画像（一連の画像）を得るようにした機能である。
【００１２】
制御部１は、電源部（二次電池）２からの電力供給によって動作し、記憶部３内の各種のプログラムに応じてこのデジタルカメラの全体動作を制御するもので、この制御部１には図示しないＣＰＵ（中央演算処理装置）やメモリなどが設けられている。記憶部３は、例えば、ＲＯＭ、フラッシュメモリなどを有する構成で、後述する図９〜図１２に示した動作手順に応じて本実施形態を実現するためのプログラムや各種のアプリケーションなどが格納されているプログラムメモリ３ａと、このデジタルカメラが動作するために必要となる各種の情報（例えば、フラグなど）を一時的に記憶するワークメモリ３ｂと、撮影画像保存用の画像メモリ（例えば、フラッシュメモリ）３ｃと、後述するシーン別ブラケットＡテーブル３ｄ、シーン別ブラケットＢテーブル３ｅなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
操作部４は、押しボタン式の各種のキーを備え、撮影モードと再生モードとを切替えるモード変更キーＫ１、撮影開始などを指示する２段押し込み式（半押し、全押し）のシャッタキーＫ２のほか、上下左右キー（４方向キー）を備えた十字キーＫ３、決定キー（ＳＥＴ）Ｋ４、その他、露出補正ダイヤル、ズームリング、フォーカスリングなどの撮影条件を設定する操作子などを備えていてもよい。制御部１は、この操作部４から操作キーに対応して出力される入力操作信号に応じて、対応する処理を行うようにしている。表示部５は、高精細液晶ディスプレイあるいは有機ＥＬ（Electro  Luminescence）ディスプレイであり、撮影画像（ライブビュー画像）を表示するモニタ画面（ライブビュー画面）となったり、撮影済み画像を再生する再生画面となったりする。なお、表示部５は、表示パネルの上にタッチパネルを備えたタッチスクリーンを構成するものであってもよい。
【００１４】
撮像部６は、図示省略したが、ズームレンズ、絞り・シャッタ、フォーカスレンズ（合焦レンズ）などのレンズユニット、撮像素子（ＣＣＤあるいはＣＭＯＳ）、各種のセンサ、アナログ処理部、デジタル処理部を有する構成で、光電変換された画像信号（アナログ値の信号）は、色分離やＲＧＢの色成分毎のゲイン調整などが行われた後、デジタル値のデータに変換される。このデジタル変換された画像データは、色補間処理（デモザイク処理）が施されて表示部５にフルカラー表示される。そして、撮像部６は、制御部１からの制御信号に応じてズームレンズ、絞り・シャッタ、フォーカスレンズを駆動することによりズーム調整、焦点調整、露出調整、撮影開始／終了を制御したり、光学ズーム処理、フォーカス処理、絞り調整処理、ホワイトバランス調整処理などを実行したりする。
【００１５】
図２は、ブラケット撮影機能用の撮影パラメータに関する変化条件として、その撮影パラメータの種類、基準値、振り幅、撮影枚数を任意に選択するためのパラメータ選択画面を示した図である。
図示の例は、ブラケット撮影機能用として２種類の撮影パラメータが選択された場合を示し、各種の撮影パラメータを一覧表示するパラメータ選択画面の中からユーザ操作によって所望する２種類の撮影パラメータが選択された場合を示している。ユーザは、撮影パラメータを選択した後、その撮影パラメータ毎にその基準値（例えば、オートフォーカス（ＡＦ）機能などで決定された自動決定値又は予め設定されている固定値）の前後の値を変更する変更幅（振り幅）を選択する操作を行ったり、ブラケット撮影時に連続撮影する枚数を選択する操作を行ったりする。なお、撮影パラメータは、３種類以上の撮影パラメータを選択するようにしてもよい。
【００１６】
図示の例では、パラメータ選択画面に撮影パラメータの選択候補として“露出（ＥＶ）”、“絞り”、“シャッタ速度”、“ホワイトバランス”、“彩度”、“コントラスト”の各項目を一覧表示するようにしたが、これに限らず、例えば、シャープネス、ＩＳＯ感度、フラッシュなどの撮影パラメータを含めて一覧表示するようにしてもよい。図中、斜線を付した項目は、ユーザ操作により選択された項目（以下、同様）を示し、２種類の撮影パラメータとして“露出（ＥＶ）”、“彩度”が選択された場合を示している。
【００１７】
また、図示の例は、撮影パラメータの振り幅を選択するための選択画面として、露出パラメータの振り幅を選択する画面と、彩度パラメータの振り幅を選択する画面を示し、露出パラメータの画面に一覧表示されている“±１ＥＶ”、“±２ＥＶ”、“±３ＥＶ”の各項目の中から任意の振り幅として“±２ＥＶ”が選択された場合を例示している。彩度パラメータの画面に一覧表示されている“±２０％”、“±５０％”、“±７０％”の各項目の中から任意の振り幅として“±２０％”が選択された場合を例示している。また、撮影枚数を選択するための選択画面には、撮影枚数の選択候補として“３枚”、“５枚”、“７枚”の各項目が一覧表示され、その中から任意の撮影枚数“３枚”が選択された場合を例示している。なお、選択候補の中から所望する項目を選択するときには、図示の例では、十字キーＫ３の上下キーを操作し、その選択候補を確定するときには、決定キー（ＳＥＴ）Ｋ４を操作するようにしている。
【００１８】
図３は、２種類の撮影パラメータに応じてブラケット撮影された複数の画像（一連の画像）を示した図で、２種類の撮影パラメータとして「露出」及び「彩度」が設定され、その露出の振り幅として「±１ＥＶ」、その撮影枚数として「３枚」が設定され、また、彩度の振り幅として「±２０％」、その撮影枚数として「３枚」が設定されている状態において、ブラケット撮影によって得られた一連の画像である。この場合、１回のシャッタ操作で「露出」、「彩度」の撮影パラメータ値がそれぞれ異なる複数枚（各３枚）分の連続撮影によって合計９枚の一連の画像が得られる。図中、Ｐ１〜Ｐ９は、ブラケット撮影時に順次撮影された各画像で、露出パラメータＡＥ、＋２ＥＶ、−２ＥＶと彩度パラメータ±０、＋２０％、−２０％の組合せにより合計９枚の画像（一連の画像）を示している。
【００１９】
１枚目の画像Ｐ１は“露出＝ＡＥ、彩度＝±０”の条件で撮影された画像を示し、２枚目の画像Ｐ２は“露出＝＋２ＥＶ、彩度＝±０”の条件で撮影された画像を示している。同様に、３枚目の画像Ｐ３は“露出＝−２ＥＶ、彩度＝±０”の条件、４枚目の画像Ｐ４は“露出＝ＡＥ、彩度＝＋２０％”の条件で撮影された画像を示している。更に、５枚目の画像Ｐ５は“露出＝＋２ＥＶ、彩度＝＋２０％”の条件、…、９枚目の画像Ｐ９は、“露出＝−２ＥＶ、彩度＝−２０％”の条件で撮影された画像を示している。そして、一連の画像にはその画像の個々を識別するための情報として、ブラケット撮影された一連の画像であることを示すグループフラグ“ＧＦ”、ブラケット撮影された一連の画像が同一のグループに属することを識別するグループＩＤ“Ｇｉｄ”、ブラケット撮影用のパラメータＩＤ“Ｐｉｄ”が付加されている。なお、グループフラグ“ＧＦ”、パラメータＩＤ“Ｐｉｄ”の詳細については、後で詳述するものとする。
【００２０】
図４は、ブラケット撮影された一連の画像を仮想的に二次元配列（二軸配列）した場合の配列状態を示し、図４（１）は、２種類の撮影パラメータ「露出」及び「彩度」が設定され、かつ、撮影枚数「３枚」が設定されている状態でブラケット撮影した場合の一連の画像（９枚の画像）を、その２種類の撮影パラメータに応じて配列した状態を示している。この場合、図２（２）で示した１枚目の画像Ｐ１“露出＝ＡＥ、彩度＝±０”を中心として、その右には２枚目の画像Ｐ２“露出＝＋２ＥＶ、彩度＝±０”が配列され、左には３枚目の画像Ｐ３“露出＝−２ＥＶ、彩度＝±０”が配列され、上には４枚目の画像Ｐ４“露出＝ＡＥ、彩度＝＋２０％”が配列され、下には５枚目の画像Ｐ５“露出＝ＡＥ、彩度＝−２０％”、…、が配列されている。
【００２１】
ここで、図中、パラメータ“Ｐｉｄ”は、ブラケット撮影用のパラメータＩＤを示し、ＸＹ座標系（二次元座標系：二軸座標系）において、第１の撮影パラメータをＸ軸方向、第２の撮影パラメータをＹ軸方向とすると、各画像の配列位置は、（Ｘ，Ｙ）で表され、“Ｐｉｄ＝０，０”は、配列の中心位置に配列される画像を示している。そして、この“Ｐｉｄ＝０，０”の画像のプラス側に１ステップ振った画像の配列位置を、“＋１”で表し、マイナス側に１ステップ振った画像の配列位置を“−１”で表している。したがって、図２（２）で示した１枚目の画像Ｐ１の配列位置は、“Ｐｉｄ＝０，０”となり、２枚目の画像Ｐ２の配列位置は、“Ｐｉｄ＝＋１，０”となり、３枚目の画像Ｐ３の配列位置は、“Ｐｉｄ＝−１，０”、４枚目の画像Ｐ４の配列位置は、“Ｐｉｄ＝０，＋１”、５枚目の画像Ｐ５の配列位置は、“Ｐｉｄ＝０，−１”、…、となる。
【００２２】
図４（２）は、撮影枚数として「５枚」が設定されている場合にブラケット撮影された一連の画像（２５枚の画像）を２種類の撮影パラメータに応じて５×５の２次元配列した状態を示した図である。この場合、各画像の配列位置は“Ｐｉｄ＝０，０”を中心として、配列の右上位置が“Ｐｉｄ＝＋２，＋２”となり、右下位置が“Ｐｉｄ＝＋２，−２”となり、左上位置が“Ｐｉｄ＝−２，＋２”となり、左下位置が“Ｐｉｄ＝−２，−２”となる。このような各画像の配列位置（Ｘ，Ｙ）は、その画像ファイルのヘッダー情報（画像に関する各種の情報）として、“撮影日時”、“タイトル”などと共に付加される。
【００２３】
図５は、撮影画像の再生モードにおいて、所望する画像を選択して個別表示させる場合の送り操作を説明するための図である。
図５（１）は、通常撮影（１枚撮影）された画像と、ブラケット撮影された一連の画像とが撮影順に混在して記録保存されている状態において、各画像を個別に選択して表示させる送り操作を説明するための図である。図中、グループフラグ“ＧＦ”は、その画像ファイルにヘッダー情報として付加されているので、制御部１は、このグループフラグ“ＧＦ”に基づいて１枚撮影された画像であるか、ブラケット撮影された画像であるかを判別する。なお、“ＧＦ＝ＮＯ”は、１枚撮影された画像であることを示し、“ＧＦ＝ＹＥＳ”は、ブラケット撮影された画像であることを示している。
【００２４】
図示の例は、十字キーＫ３を画像送りキーとして使用した場合で、その右キーの操作で順方向に画像送り行った場合を示している。この例では、１枚撮影の画像が表示されている状態で、十字キーＫ３の右キーが１回操作されると、ブラケット撮影された画像（最初は、後述する代表画像）に切替え表示され、更に、右キーが１回操作されると、次の１枚撮影の切替え表示されることを示している。このように本実施形態では、ブラケット撮影された複数枚の撮影画像と、１枚撮影された画像とが混在して記憶保存されている状態において、１枚撮影の画像を送る操作と同様の１回のキー操作で、ブラケット撮影された複数枚の撮影画像を単位としてグループ送りするようにしている。
【００２５】
なお、ブラケット撮影の代表画像とは、その配列位置が“Ｐｉｄ＝０，０”の中心画像であるが、ユーザ操作で代表画像を任意に選択して設定しておいてもよい。この代表画像の表示中にはその代表画像上に所定のマーク“ＳＥＴ”が合成表示される。すなわち、ブラケット撮影された一連の画像のうち、代表画像以外の他の画像に切替え可能とするためには決定キー（ＳＥＴ）Ｋ４を操作すべきことを案内するマーク“ＳＥＴ”が代表画像上に合成表示される。
【００２６】
図５（２）は、ブラケット撮影の各画像を撮影パラメータ別に個別に表示させるためのパラメータ別送り操作を説明する図である。
図５（２）は、２種類の撮影パラメータとして「露出」及び「彩度」が設定され、かつ、撮影枚数として「３枚」が設定されている状態において、ブラケット撮影された一連の画像（９枚の画像）のうち、その代表画像“Ｐｉｄ＝０，０”の画像（露出＝ＡＥ、彩度＝±０）が表示されている状態を示している。ここで、十字キーＫ３によるパラメータ別送り操作（上下左右キー操作）が行われると、表示中の画像（最初は代表画像）の配列位置を起点とし、その起点からパラメータ別送り操作の方向に画像送りを行うようにしている。すなわち、十字キーＫ３によるパラメータ別操作が行われた際に、表示中の画像を撮影したときの２種類の撮影パラメータのうちその操作に対応した種類のパラメータ値で撮影された画像を表示対象として特定して切替え表示するようにしている。
【００２７】
このように本実施形態では、表示中の画像（最初は代表画像）の配列位置を起点とし、その起点から画像送りを行うようにしている。この場合、表示中の画像を起点としてその画像送りの方向に何枚の画像が配列されているかを明示するために方向別に、その配列状態に関する情報を識別可能に表示するようにしている。すなわち、表示中の画像の配列位置を起点とし、その起点から画像送りが可能となる画像数を明示するための指標として、その画像送りが可能な複数の方向（画像の配列方向）に対応して、ブラケット撮影された一連の画像の配列状態に関する情報を識別可能に表示するようにしている。
【００２８】
一連の画像の配列状態に関する情報（画像送りが可能な画像数を明示する指標）とは、表示中の画像の背後に識別可能に表示される情報であり、送り方向別に画像送りが可能な画像をその一端部（一端部）が表示中の画像からはみ出るようにその表示位置をずらしながら画像送りが可能な画像数分重ね合わせて表示した状態を指標とするもので、この方向別の重ね合わせ数が、画像送りが可能な画像数となる。このように方向別に画像送りが可能な画像を明示するための指標を識別可能に表示（重ね合わせはみ出し表示）するようにしている。例えば、図示の例では、上下左右の方向に画像送りが可能な画像数は“１”であるため、表示中の画像の背後において、その４辺には、１枚分の画像がはみ出し表示されるので、その方向に画像送りが可能な画像数は“１”であることが明示される。
【００２９】
ブラケット撮影の代表画像として“Ｐｉｄ＝０，０”の画像（露出＝ＡＥ、彩度＝±０）が表示されている状態において、十字キーＫ３の上下左右キーのいずれかが操作されると、制御部１は、そのキー操作の方向に配列されている次の画像を表示対象として特定して切替え表示（個別表示）させる。なお、図中、欄外に付した“露出＋”は、右キーが露出パラメータの順方向への送りキーとなり、“露出−”は、左キーが露出パラメータの逆方向への送りキーとなり、“彩度＋”は、上キーが彩度パラメータの順方向への送りキーとなり、“彩度−”は、下キーが彩度パラメータの逆方向への送りキーとなることを示している。
【００３０】
すなわち、例えば、右キーが１回操作されたときには、露出パラメータのプラス側方向に画像送りを行って１ステップ振った画像（“Ｐｉｄ＝＋１，０”の画像）に切替え表示させ、左キーが１回操作されたときには、露出パラメータのマイナス側方向に画像送りを行って１ステップ振った画像（“Ｐｉｄ＝−１，０”の画像）に切替え表示させる。また、上キーが１回操作されたときには、彩度パラメータのプラス側方向に画像送りを行って１ステップ振った画像（“Ｐｉｄ＝０，＋１”の画像）に切替え表示させ、下キーが１回操作されたときには、彩度パラメータマイナス側方向に画像送りを行って１ステップ振った画像（“Ｐｉｄ＝０，−１”の画像）に切替え表示させる。なお、図５（２）に示す表示状態において、再び決定キー（ＳＥＴ）Ｋ４が操作されると、図５（１）の表示状態に戻って、１枚撮影の画像を表示可能な状態となる。
【００３１】
また、図５（２）に示すように、表示対象の画像が個別に表示されている画面上には、その表示中の画像（最初は代表画像）が二次元配列内のどの位置に配列されているかを案内する配列イメージＭＴがその画面の一部（図示の例では右下隅部）に配置表示されている。図示の例では、３×３のマス目状（マトリックス状）の配列イメージＭＴを示したもので、その中心位置のマス目が表示中の画像の配列位置を示し、この位置のマス目が識別表示（斜線表示）される。この識別表示（斜線表示）は、表示中の画像が切替えられる毎にその配列位置に相当するマス目に変更され、表示中の画像の配列位置を明示するイメージ表示する。なお、配列イメージＭＴの表示位置は、個別表示の画像上に限らず、任意である。また、配列イメージＭＴの表示有無を切替え可能としてもよい。
【００３２】
図６は、“Ｐｉｄ＝０，０”の画像（代表画像）を中心として、その上下左右の方向に１ステップ分画像送りを行った場合の表示状態を示した図である。
代表画像が表示されている状態で１回の右キー操作で右方向に画像送りが行われたときには、“Ｐｉｄ＝＋１，０”の画像に切替え表示されるが、その際、この表示中の画像の更に上方向には“Ｐｉｄ＝＋１，＋１”の画像が存在し、下方向には“Ｐｉｄ＝＋１，−１”の画像が存在し、左方向には“Ｐｉｄ＝−１，０”の画像及び“Ｐｉｄ＝０，０”の画像が存在しているため、その方向別に画像送りが可能な画像数を明示するための指標を識別表示（はみ出し重ね合わせ表示）するようにしている。
【００３３】
また、同様に、代表画像が表示されている状態で１回の左キー操作で左方向に画像送りが行われたときには、“Ｐｉｄ＝−１，０”の画像に切替え表示されるが、この表示中の画像の更に上方向には“Ｐｉｄ＝−１，＋１”の画像、下方向には“Ｐｉｄ＝−１，−１”の画像、右方向には“Ｐｉｄ＝０，０”の画像及び“Ｐｉｄ＝＋１，０”の画像が存在しているため、その方向別に画像送りが可能な画像数を明示するための指標が表示される。その他、“Ｐｉｄ＝０，−１”の画像に切替え表示されている状態、又は“Ｐｉｄ＝０，＋１”の画像に切替え表示されている状態においても方向別に画像送りが可能な画像数を明示するための指標が表示される。
【００３４】
図７は、シーン別ブラケットＡテーブル３ｄ、図８は、シーン別ブラケットＢテーブル３ｅを説明するための図である。
シーン別ブラケットＡテーブル３ｄ及びシーン別ブラケットＢテーブル３ｅは、どのような被写体をどのように撮影するかに応じて設定されている各種の撮影シーンの中からユーザ操作によって任意に選択された撮影シーンに応じてブラケット撮影を行う場合に参照されるテーブルであり、各種の撮影シーンの個々に対応付けて、ブラケット撮影機能用の撮影パラメータに関する変化条件（撮影パラメータの種類、基準値、振り幅、撮影枚数）を記憶する構成となっている。
【００３５】
シーン別ブラケットＡテーブル３ｄは、図７に示すように、「シーン」、「パラメータ」、「パラメータの基準値（固定）」、「パラメータの振り幅（固定）」、「枚数」の各項目を有し、その内容はユーザ操作によって変更することができない固定テーブルであることを示している。「シーン」は、撮影シーンを示す名称を記憶する項目で、例えば、“花びらをピント位置に注意して撮影（固定）”、“食べ物をピント位置に注意して撮影（固定）”、…、“屋内で色味と明るさに注意して撮影（固定）”が記憶されている。ここで、「シーン」内の“（固定）”とは、後述する「パラメータの基準値（固定）」、「パラメータの振り幅（固定）」、「枚数」の内容を変更することができない固定的な内容であることを意味している。
【００３６】
「パラメータ」、「パラメータの基準値（固定）」、「パラメータの振り幅（固定）」、「枚数」は、ブラケット撮影機能用の撮影パラメータに関する変化条件を示した項目である。「パラメータ」は、ブラケット撮影機能用の撮影パラメータの種類を示すパラメータ名を記憶するもので、一つの撮影シーンに対応付けて複数種のパラメータ名が記憶可能となっている。例えば、撮影シーン対応の「パラメータ」の項目には、“花びらをピント位置に注意して撮影（固定）”に対応して１種類の撮影パラメータ“フォーカス”が記憶され、…、“風景を色味に注意して撮影（固定）”、“屋内で色味と明るさに注意して撮影（固定）”に対応して２種類の撮影パラメータ“ホワイトバランス”、“露出（ＥＶ）”が記憶されている。
【００３７】
「パラメータの基準値（固定）」は、ブラケット撮影のパラメータ基準値として、オートフォーカス（ＡＦ）、オート露出（ＡＥ）機能、オートホワイトバランス（ＡＷＢ）機能などで決定された自動決定値を使用するのか、予め設定されている固定値（例えば、製品出荷時までに設定された値）を使用するのかを示す情報を記憶する項目で、図中、ＡＦ値、ＡＥ値、ＡＷＢ値は、自動決定値を使用すべきことを示し、“中間位置”、“中間値”、“フィルタ無”、“４０００Ｋ”は、固定値を使用すべきことを示し、その内容は変更することができない固定的な内容となっている。制御部１は、ユーザ操作によって選択された撮影シーンに応じて、シーン別ブラケットＡテーブル３ｄを参照し、自動決定値又は固定値を撮影パラメータの基準値として取得するようにしている。
【００３８】
「パラメータの振り幅（固定）」は、撮影パラメータの基準値の前後を変更する変更幅（振り幅）を固定値として記憶する項目である。例えば、「シーン」が“花びらをピント位置に注意して撮影（固定）”、「パラメータ」が“フォーカス”、「パラメータの基準値（固定）」が“ＡＦ値”の場合には、「パラメータの振り幅（固定）」として“±５ｃｍ”が記憶され、基準値“ＡＦ値”を基準にその前後に５ｃｍ変更すべきことを示している。また、「シーン」が“屋内で色味と明るさに注意して撮影（固定）”の場合には、２種類の「パラメータ」として“ホワイトバランス”、“ＥＶ”が記憶され、それに対応して「パラメータの基準値（固定）」が“４０００Ｋ”、“ＡＥ値”、「パラメータの振り幅（固定）」として“色温度＝±１０００Ｋ”、“±１ＥＶ”が記憶され、基準値“４０００Ｋ”を基準にその前後に１０００Ｋ変更し、かつ、基準値“ＡＥ値”を基準にその前後に１ＥＶ変更すべきことを示している。「枚数」は、撮影パラメータに関する変化条件として、撮影パラメータを変更しながら複数回の撮影を連続して行う撮影枚数を記憶する項目で、例えば、“３枚”、“５枚”などが記憶されている。
【００３９】
シーン別ブラケットＢテーブル３ｅは、図８に示すように「シーン」、「パラメータ」、「パラメータの基準値（固定／可変）」、「パラメータの振り幅（可変）」、「枚数」の各項目を有し、ユーザ操作によってその内容を任意に変更することができる可変テーブルであることを示している。「シーン」は、撮影シーンを示す名称を記憶する項目で、このシーン内の“（可変）”とは、後述する「パラメータの基準値（固定／可変）」、「パラメータの振り幅（可変）」、「枚数」の内容をユーザ操作により任意に変更可能であることを意味している。
【００４０】
「パラメータ」、「パラメータの基準値（固定／可変）」、「パラメータの振り幅（可変）」、「枚数」は、ブラケット撮影機能用の撮影パラメータに関する変化条件を示している。「パラメータ」は、一つの撮影シーンに対応付けて“彩度”、“コントラスト”などのように２種類の撮影パラメータが記憶可能である。「パラメータの基準値（固定／可変）」は、自動決定値を使用するのか、予め設定されている固定値又は任意に指定された指定値を使用するのかを示す項目で、図中、ＡＦ値、ＡＥ値、ＡＷＢ値は、自動決定値を示し、中間位置、中間値は、固定値を示し、“３０００Ｋ／４０００Ｋ／５０００Ｋ”は、複数の候補値を示し、その中からユーザ操作で任意に指定された値が指定値（例えば、４０００Ｋ）となる。
【００４１】
「パラメータの振り幅（可変）」は、撮影パラメータの基準値を基準にその前後を変更する変更幅（振り幅）を記憶する項目で、複数の候補値の中からユーザ操作で任意に指定された値が振り幅となる。例えば、「シーン」が“花びらをピント位置に注意して撮影（固定）”で、「パラメータ」が“フォーカス”の場合には、その「パラメータの振り幅（可変）」の複数の候補値“±５ｃｍ／±２０ｃｍ／±５０ｃｍ”の中からユーザ操作により任意の振り幅（例えば、±２０ｃｍ）を指定値として選択可能としている。
【００４２】
このようにシーン別ブラケットＡテーブル３ｄ、シーン別ブラケットＢテーブル３ｅは、撮影シーンに応じてブラケット撮影を行う際に使用されるもので、各種の撮影シーンの中から任意のシーンがユーザ操作によって選択されると、制御部１は、その撮影シーンに対応する撮影パラメータに関する変化条件を該当するテーブル（シーン別ブラケットＡテーブル３ｄ又はシーン別ブラケットＢテーブル３ｅ）を参照することによって取得し、撮影条件として設定してブラケット撮影を行うようにしている。
【００４３】
このように実施形態においてデータ表示装置（デジタルカメラ）は、複数のデータ（ブラケット撮影された一連の画像）を複数種の撮影パラメータ（例えば、露出、彩度）に応じて仮想的な複数次元に配列（例えば、二次元配列）するデータ配列手段（制御部１、プログラムメモリ３ａ）と、前記データ配列手段により配列された前記複数のデータの中から表示対象として選択されているデータ（表示中の画像）の配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報（画像送りが可能な画像数を明示する指標）を識別可能に表示する指標表示手段（制御部１、プログラムメモリ３ａ、表示部５）と、前記複数のデータの送り方向の中から任意の方向が選択されてその方向へのデータ送りが指示された際に、その指示方向にデータを送って表示対象を更新する更新手段（制御部１、プログラムメモリ３ａ）と、を備える構成となっている。
【００４４】
次に、本実施形態におけるデータ表示装置（デジタルカメラ）の動作概念を図９〜図１２に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４５】
図９〜図１２は、電源投入に応じて実行開始されるデータ表示装置（デジタルカメラ）の動作（本実施形態の特徴的な動作）を説明するためのフローチャートである。
先ず、制御部１は、電源投入操作に応じてメモリなどをクリアする初期化処理（図９のステップＳ１）を実行した後、ブラケット撮影の設定モードであるかを調べたり（ステップＳ２）、静止画撮影モードであるかを調べたり（図１０のステップＳ１５）、静止画再生モードであるかを調べたりする（図１１のステップＳ２８）。ここで、動画撮影モードなど、その他の動作モードであれば（図１１のステップＳ２８でＮＯ）、その他のモードに応じた処理、例えば、ブラケット撮影を除く他の撮影時の撮影条件を設定する処理、動画を撮影する処理などを行い（ステップＳ２９）、図９のステップＳ２に移行する。
【００４６】
いま、ブラケット撮影の設定モードに切替えられている場合において（図９のステップＳ２でＹＥＳ）、その設定の種別として、シーン別ブラケットＢテーブル３ｅへの設定がユーザ操作によって指示されたかを調べ（ステップＳ３）、シーン別設定が指示された場合には（ステップＳ３でＹＥＳ）、各種の撮影シーンの一覧画面の中からユーザ操作によって任意のシーンが選択されると（ステップＳ４）、その選択シーンに対応して、ブラケット撮影用のパラメータの変化に関する変化条件をシーン別ブラケットＢテーブル３ｅに設定する処理に移る（ステップＳ５〜Ａ８）。
【００４７】
すなわち、撮影パラメータの種類を一覧表示する画面の中から２種類までの撮影パラメータを選択する操作が行われ（ステップＳ５）、その後、この選択パラメータ毎にその基準値及び振り幅を選択する操作が行われると共に（ステップＳ６）、撮影枚数を選択する操作が行われると（ステップＳ７）、制御部１は、各選択シーンに対応してその変化条件（選択されたパラメータの種類、基準値、振り幅、撮影枚数）をシーン別ブラケットＢテーブル３ｅに設定する処理を行う（ステップＳ８）。ここで、「パラメータの基準値（固定／可変）」への設定の場合に、自動決定値／固定値／指定値の中から任意の項目を選択するが、指定値を選択したときには、更に複数の候補値の中からユーザ操作で任意の値を選択する。また、撮影枚数は、撮影パラメータ毎に設定してもよく、又はシーン毎に設定してもよい。
【００４８】
そして、上述のように選択した２種類の撮影パラメータと、画像の送り方向（画像の配列方向）とを任意に対応付けるために、ＸＹ座標系（二次元座標系）において、選択した２種類までの撮影パラメータの一方を第１のパラメータとすると共に、この第１のパラメータの配列位置を“Ｘ”として選択し、また、他方を第２のパラメータとすると共に、この第２のパラメータの配列位置を“Ｙ”として選択する処理（ステップＳ９）を行った後、上述のステップＳ２に戻る。なお、選択した撮影パラメータが１種類の場合は、第１のパラメータとして“Ｘ”に設定される。
【００４９】
また、ブラケット撮影の設定モードにおいて（ステップＳ２でＹＥＳ）、シーン別設定が指定されなければ（ステップＳ３でＮＯ）、ブラケット撮影用のパラメータの変化に関する変化条件を順次設定する処理に移る（ステップＳ１０〜Ｓ１４）。すなわち、図２に示すパラメータ選択画面を表示した状態において（ステップＳ１０）、その画面の中から２種類の撮影パラメータを選択する操作（ステップＳ１１）が行われた後、その選択パラメータ毎にその基準値及び振り幅を選択する操作が行われると共に（ステップＳ１２）、撮影枚数を選択する操作が行われると（ステップＳ１３）、選択されたパラメータの種類、基準値、振り幅、撮影枚数に応じてその撮影条件を撮像部６などに設定する処理を行う（ステップＳ１４）。なお、撮影枚数は、撮影パラメータ毎に設定してもよい。そして、２種類の撮影パラメータの一方を第１のパラメータとすると共に、この第１のパラメータの配列位置を“Ｘ”として選択し、他方を第２のパラメータとすると共に、この第２のパラメータの配列位置を“Ｙ”として選択する処理（ステップＳ９）を行った後、上述のステップＳ２に戻る。この場合も、選択した撮影パラメータが１種類の場合は、第１のパラメータとして“Ｘ”に設定される。
【００５０】
一方、静止画撮影モードに切替えられているときには（図１０のステップＳ１５でＹＥＳ）、ブラケット撮影機能がオン（ＯＮ）されている状態であるかを調べ（ステップＳ１６）、その機能がオンされていれば（ステップＳ１６でＹＥＳ）、所定の操作によりシーン別のブラケット撮影が指定されているかを調べる（ステップＳ１７）。いま、シーン別のブラケット撮影が指定されているときには（ステップＳ１７でＹＥＳ）、ブラケット撮影用のシーン別のサンプル画像を一覧表示するシーン選択画面（メニュー画面）を表示する処理に移る（ステップＳ１８）。
【００５１】
図１３は、ブラケット撮影に先だって表示されるシーン選択画面（メニュー画面）を例示した図である。このシーン選択画面は、各種の撮影シーンの中からユーザが任意の撮影シーンを選択するための画面であり、この画面には各種の撮影シーンに対して、そのシーンに対応するブラケット撮影用のパラメータで撮影を行ったものとした場合のサンプル画像が一覧表示される。なお、図中、“（固定）”は、シーン別ブラケットＡテーブル３ｄの内容に応じて生成したサンプル画像であることを示し、“（可変）”は、シーン別ブラケットＢテーブル３ｅの内容に応じて生成したサンプル画像であることを示している。このようにシーン選択画面内に表示された各サンプル画像は、同一のサイズのサムネイル画像で、マトリックス配列される。なお、図示の例では、シーン別ブラケットＡテーブル３ｄの内容とシーン別ブラケットＢテーブル３ｅの内容とを混在して一覧表示したが、それらを分けて一覧表示するようにしてもよい。  なお、シーン選択画面には、サンプル画像に加えてそのシーン名称を組にして一覧表示するようにしてもよい。
【００５２】
このブラケット撮影用のシーン選択画面の中から任意の撮影シーンが選択されると（ステップＳ１９）、この選択シーン対応の撮影パラメータに関する変化条件を、シーン別ブラケットＡテーブル３ｄ又はシーン別ブラケットＢテーブル３ｅから読み出し（ステップＳ２０）、ワークメモリ３ｂに一時記憶しておく（ステップＳ２１）。この状態において、シャッタキーＫ２が操作されると（ステップＳ２２でＹＥＳ）、ブラケット撮影を開始し、ワークメモリ３ｂ内の撮影パラメータに関する変化条件に応じてシーン対応の撮影パラメータ値を変更しながら撮影枚数分の連続撮影を行う（ステップＳ２３）。
【００５３】
これによって連続撮影（ブラケット撮影）した各撮影画像に圧縮処理したり、その各画像ファイルのヘッダー情報にブラケット撮影を識別する情報として、ブラケット撮影された一連の画像であることを示すグループフラグ“ＧＦ”、ブラケット撮影された一連の画像が同一のグループに属することを識別するグループＩＤ“Ｇｉｄ”、ブラケット撮影用のパラメータＩＤ“Ｐｉｄ”をそれぞれ付加したりする（ステップＳ２４）。この場合、グループフラグとして“ＧＦ＝ＹＥＳ”を付加し、グループＩＤとして、例えば、“Ｇｉｄ＝”１を付加する。その後、図９のステップＳ２に戻る。
【００５４】
また、静止画撮影モードにおいて（ステップＳ１５でＹＥＳ）、ブラケット撮影機能がオフ（ＯＦＦ）されている状態において（ステップＳ１６でＮＯ）、シャッタキーＫ２が操作されると（ステップＳ２５でＹＥＳ）、設定されている撮影条件に応じて１枚の画像撮影を行う（ステップＳ２６）。そして、１枚撮影した撮影画像に圧縮処理したり、その画像ファイルのヘッダー情報に１枚撮影を識別する情報として、グループフラグ“ＧＦ”を付加したりする（ステップＳ２７）。この場合、グループフラグとして“ＧＦ＝ＮＯ”を付加する。その後、図９のステップＳ２に戻る。
【００５５】
他方、静止画再生モードに切替えられている場合において（図１１のステップＳ２８でＹＥＳ）、再生対象を指定するために日付やタイトルなどがユーザ操作で入力されると、その入力情報に対応する画像フォルダを再生対象として選択すると共に（ステップＳ３０）、その画像フォルダ内から再生対象として先頭の画像ファイルを選択取得する（ステップＳ３１）。そして、再生対象として選択取得した画像のグループフラグＧＦは“ＮＯ”であるか、つまり、１枚撮影の画像であるかを調べる（ステップＳ３２）。ここで、図５（１）で示した最初の画像は、そのグループフラグが“ＧＦ＝ＮＯ”、つまり、１枚撮影の画像であるから（ステップＳ３２でＹＥＳ）、その画像を通常に個別表示（１枚表示）する処理に移る（ステップＳ３３）。
【００５６】
そして、送りキーとしての十字キーＫ３が操作されたかを調べたり（ステップＳ３４）、再生モードを解除する再生終了の操作が行われたかを調べたりする（ステップＳ３５）。いま、再生モードを解除する終了操作が行われたときには（ステップＳ３５でＹＥＳ）、図９のステップＳ２に戻るが、撮影順の画像送りを指示するために十字キーＫ３が操作されたときには（ステップＳ３４でＹＥＳ）、その操作キーの種類に基づいてその送り方向（例えば、左右方向）を判別し（ステップＳ３６）、その判別した方向に画像があるかを調べる（ステップＳ３７）。
【００５７】
ここで、判別した方向に画像がなければ（ステップＳ３７でＮＯ）、今回の送り操作を無視するために上述のステップＳ３４に戻るが、判別した方向に画像があれば（ステップＳ３７でＹＥＳ）、その送り方向にある画像を再生対象として選択取得する（ステップＳ３８）。この場合、十字キーＫ３の右キーが操作されたときには、表示中の画像に対して順方向にある次の画像を再生対象として取得し、左キーが操作されたときには、表示中の画像に対して逆方向にある次の画像を再生対象として選択取得する。そして、上述のステップＳ３２に戻り、再生対象として選択取得した画像は、１枚撮影の画像であるかを調べ、１枚撮影の画像であることを判別する毎に（ステップＳ３２でＹＥＳ）、以下、上述の動作（ステップＳ３３〜Ｓ３８）を繰り返す。
【００５８】
いま、図５（１）で示した２番目の画像が再生対象として選択されたものとすると、その画像のグループフラグは“ＧＦ＝ＹＥＳ”、つまり、ブラケット撮影の画像が再生対象として指定された場合であるから（ステップＳ３２でＮＯ）、図１２のステップＳ３９に移り、そのブラケット撮影された各画像（一連の画像）を仮想的に２次元配列（Ｘ，Ｙ配列）する処理を行う。この場合、一連の画像を仮想的に２次元配列する処理を行うことにより、例えば、各画像（一連の画像）は、図４（１）に示すような３×３のマトリックス状の配列状態又は図４（２）に示すような５×５のマトリックス状の配列状態となる。
【００５９】
そして、この２次元配列の中心の“Ｐｉｄ＝０，０”の位置に配列されている画像を代表画像として取得して個別表示する（ステップＳ４０）。更に、その代表画像の背後に上述した指標表示、つまり、送り方向別に送り画像数（画像送りが可能な画像数）を指標表示（はみ出し重ね合わせ表示）する（ステップＳ４１）。そして、この代表画像上に決定キー（ＳＥＴ）Ｋ４を操作すべきことを示すマーク“ＳＥＴ”を案内表示する（ステップＳ４２）。これによって、図５（１）に示すような表示状態となる。
【００６０】
この状態において、決定キー（ＳＥＴ）Ｋ４が操作されたかを調べ（ステップＳ４３）、決定キー（ＳＥＴ）Ｋ４が操作されなければ（ステップＳ４３でＮＯ）、図１１のステップＳ３４に戻るが、決定キー（ＳＥＴ）Ｋ４が操作されたときには（ステップＳ４３でＹＥＳ）、案内表示のマーク“ＳＥＴ”を消去すると共に（ステップＳ４４）、表示中の画像（この場合には代表画像）が二次元配列内のどの位置に配列されているかを案内する配列イメージＭＴを画面の一部（例えば、右下隅部）に配置表示する（ステップＳ４５）。これによって図５（２）に示すような表示状態となる。
【００６１】
ここで、ブラケット撮影された各画像を一覧表示するサムネイル一覧画面への表示切替えがユーザ操作により指示されたかを調べたり（ステップＳ４６）、送りキーとしての十字キーＫ３が操作されたかを調べたり（ステップＳ５０）、再び決定キー（ＳＥＴ）Ｋ４が操作されたかを調べたりする（ステップＳ５５）。いま、サムネイル一覧画面が指示されたときには（ステップＳ４６でＹＥＳ）、ブラケット撮影された各画像を一覧表示するサムネイル一覧画面に切替える（ステップＳ４７）。図１４は、図４（１）に示したように、２種類の撮影パラメータ「露出」及び「彩度」が設定され、かつ、撮影枚数「３枚」が設定されている状態でブラケット撮影された場合の一連の画像（９枚の画像）のサムネイル一覧画面を例示した図である。このサムネイル一覧画面の中からユーザ操作によって任意の画像が表示対象として選択されたときには（ステップＳ４８でＹＥＳ）、ステップＳ５３に移行し、その選択画像の個別表示に切替える。また、ステップＳ４８でＮＯの場合は、サムネイル一覧画面の解除が指示されたかを調べ（ステップＳ４９）、その一覧画面の解除が指示されたときには（ステップ４９でＹＥＳ）、上述のステップＳ４６に戻る。
【００６２】
一方、送りキーとしての十字キーＫ３が操作されたときには（ステップＳ５０でＹＥＳ）、その操作キーに応じて送り方向を判別する（ステップＳ５１）。すなわち、上下左右キーのいずれが操作されたかに応じて上下左右方向のいずれの方向への送りが指示されたかを調べる。そして、上述のように２次元配列されている一連の画像の中で表示中の画像（例えば、代表画像）を起点として、その送り方向に次の画像が配列されているかを調べ（ステップＳ５２）、次の画像が存在していなければ（ステップＳ５２でＮＯ）、今回の送り操作を無効とするために上述のステップＳ４６に戻る。
【００６３】
また、指示された送り方向に次の画像があれば（ステップＳ５２でＹＥＳ）、その画像を取得して個別表示すると共に、表示中の画像が二次元配列内のどの位置に配列されているかを案内する配列イメージＭＴを画面の一部に配置表示する（ステップＳ５３）。更に、その表示中の画像の背後に、送り方向別に送り画像数（画像送りが可能な画像数）を指標表示（はみ出し重ね合わせ表示）する（ステップＳ５４）。その後、上述のステップＳ４６に戻る。以下、送りキーとしての十字キーＫ３が操作される毎に（ステップＳ５０でＹＥＳ）、上述の動作（ステップＳ５１〜Ｓ５４）を繰り返す。
【００６４】
これにより、例えば、図６に示すように“Ｐｉｄ＝０，０”の画像（代表画像）が表示されている状態において、上下左右の方向に画像送りが行われた場合には、その送り方向の次の画像が個別表示される。すなわち、代表画像から右方向への送り操作で“Ｐｉｄ＝＋１，０”の画像に切替え表示され、左方向への送り操作で“Ｐｉｄ＝−１，０”の画像に切替え表示され、下方向への送り操作で“Ｐｉｄ＝０，−１”の画像に切替え表示され、上方向への送り操作で“Ｐｉｄ＝０，＋１”の画像に切替え表示される。なお、逆方向への送り操作が行われたときには、“Ｐｉｄ＝０，０”の位置にある元の代表画像の表示に戻る。
【００６５】
また、例えば、“Ｐｉｄ＝＋１，０”の画像が個別表示されている状態では、その左方向に２枚の画像が存在しているので、２回の画像送り操作で“Ｐｉｄ＝０，０”の画像、“Ｐｉｄ＝−１，０”の画像に切替え表示される。同様に、“Ｐｉｄ＝０，−１”の画像が個別表示されている状態では、その上方向に２枚の画像が存在しているので、２回の画像送り操作で“Ｐｉｄ＝０，０”の画像、“Ｐｉｄ＝０，＋１”の画像に切替え表示される。その後、再度の決定キー（ＳＥＴ）Ｋ４の操作で（ステップＳ５７でＹＥＳ）、図９のステップＳ２に戻る。
【００６６】
以上のように、実施形態において制御部１は、複数のデータ（画像）を複数種のパラメータに応じて仮想的な複数次元（複数軸）に配列されている状態において、この複数の画像の中から表示対象として選択されている画像の配列位置を起点とし、その起点から画像送りが可能であることを明示するための指標として、その画像送りが可能な複数の方向に対応付けて、複数の画像の配列状態に関する情報を識別可能に表示するようにしたので、複数の送り方向の中から任意の方向を選択してその方向への画像送りを指示する際に、ユーザにあっては送り方向別に画像の配列状態に関する情報を目視確認しながら画像送りを指示することができ、視覚的に分かり易くなり、多くの画像の内容をユーザが個別に詳細確認するような場合でもその確認作業を効率良く実行することができ、操作性及び利便性に富んだものとなる。
【００６７】
複数の画像の配列状態に関する情報は、表示対象として選択されている表示中の画像を起点として各送り方向に画像送りが可能な画像数であり、複数の送り方向の個々に対応付けて、画像送りが可能な画像数を表示するようにしたので、ユーザにあっては送り方向別に画像送りが可能な画像数を目視確認しながら画像送りを指示することができる。
【００６８】
複数の画像の配列状態に関する情報を指標表示する場合に、方向別に画像送りが可能な画像を明示するために、表示中の画像の背後に画像送りが可能な画像の一端部がはみ出るようにその表示位置をずらしながらその画像数分重ね合わせて表示するようにしたので、画像送りが可能な画像の内容及び方向別に画像送りが可能な画像数を直感的に目視確認することができる。
【００６９】
複数の画像は、複数種の撮影パラメータを変更しながら複数回の撮影を連続して行うブラケット撮影によって得られた複数枚の撮影画像であるので、撮影パラメータを変えると、どのように撮影画像が変化するのかを視覚的により分かり易く確認することができ、写真撮影のスキル向上に役立つ。
【００７０】
ブラケット撮影用の撮影パラメータと撮影枚数を任意に設定可能としたから、ユーザの意向に応じたブラケット撮影が可能となり、多彩な画像の変化を確認することもできる。
【００７１】
撮影パラメータ毎に任意の撮影枚数を設定するようにしたので、ブラケット撮影の設定をよりきめ細かに行うことができる。
【００７２】
ブラケット撮影された複数枚の撮影画像と、１枚撮影された画像とが混在して記憶されている状態において、１枚撮影の画像を送る操作と同様の１回の操作で、ブラケット撮影された複数枚の撮影画像を単位としてグループ送りするようにしたので、ブラケット撮影された枚数が多くとも１回の送り操作で足り、ブラケット撮影された画像を送り操作毎に１枚毎に送るものに比べて、１枚撮影の画像を含めた全体の画像送りを円滑に行うことができる。更に、例えば、１枚撮影用の再生モードと、ブラケット撮影用の再生モードに分けなくてもよく、ブラケット撮影の画像を容易に探し出すことが可能となる。
【００７３】
ブラケット撮影用の複数種の撮影パラメータと複数の送り方向との対応を任意に設定可能としたので、ユーザの使い勝手などを考慮した画像送りが可能となり、操作性の向上に役立つ。
【００７４】
複数の画像を一覧表示させるか個別に表示させるかを切替え可能としたので、例えば、複数の画像の全体概要を確認してから個々の画像を詳細に確認するような場合に便利なものとなる。
【００７５】
表示対象の画像が個別に表示されている状態において、その表示中の画像が二次元配列内のどの位置に配列されているかを案内する配列イメージＭＴを画面の一部に配置表示するようにしたので、ユーザにあっては表示中の画像の配列位置を直感的に確認することができる。
【００７６】
なお、上述した実施形態においては、表示中の画像の背後に、画像送りが可能な画像の一端部がはみ出るようにその表示位置をずらしながらその画像数分重ね合わせて表示（重ね合わせはみ出し表示）するようにしたが、方向別に画像送りが可能な画像数を明示するために、その画像数を数値によって表示するようにしてもよい。図１５（１）、（２）は、画像送りが可能な画像数を数値表示した場合を例示した図である。ここで、表示中の画像の４方向（上下左右）に対応して、方向別に画像送りが可能な画像数を数値表示（指標表示）するようにしている。すなわち、図示のように画像の上下左右の各辺に矩形のラベルを接近配置し、そのラベル内に方向別に画像送りが可能な画像数を数値表示するようにしている。
【００７７】
図１５（１）は、表示中の画像を起点として、その右方向に送ることができる画像数は“１０枚”であることが数値表示され、また、左方向に送ることができる画像数は“２枚”、上方向に送ることができる画像数は“４枚”、下方向に送ることができる画像数は“８枚”であることが数値表示された場合である。この状態において、例えば、十字キーＫ３の左キーが１回操作されたものとすると、図１５（２）に示すように、左方向に１枚分画像が送られ、左側の指標表示が“１枚”となり、右側の指標表示が“１１枚”となる。このように複数の画像の配列状態に関する情報を指標表示する場合に、方向別に画像送りが可能な画像数を数値表示するようにすれば、例え、画像送りが可能な画像数が多くともその全てを明示することができる。
【００７８】
図１６（１）は、指標表示としてパラメータ名を表示する場合の変形例を説明するための図で、パラメータ名に表示中の画像を起点として順方向への送りであることを示すプラスマーク“＋”、逆方向への送りであることを示すマイナスマーク“−”を付加して表示した場合を示した図である。図中、“露出＋”は、露出パラメータの順方向への送り、“露出−”は、露出パラメータの逆方向への送りを示した指標であり、“彩度＋”は、彩度パラメータの順方向への送り、“彩度−”は、彩度パラメータの逆方向への送りを示した指標である。図１６（２）は、図１６（１）の送り方向を含むパラメータ名に、画像送りが可能な画像数を付加して表示した場合を示した図である。図示の例では、表示中の画像を起点として露出パラメータの画像送り数は１０枚、ホワイトバランスパラメータの画像送り数は２枚、彩度パラメータの画像送り数は４枚、絞りパラメータの画像送り数は８枚であることを示している。
【００７９】
上述した実施形態においては、２種類の撮影パラメータを送り表示する例を示したが、更に多くの種類の撮影パラメータで送り操作することも可能である。
図１７（１）は、４種類の撮影パラメータで４方向に送り表示する場合を例示した図である。すなわち、再生時に複数の画像の配列状態に関する情報を方向別に指標表示する場合に、複数の送り方向と複数種のパラメータとを１対１に対応させ、複数の送り方向に対応付けて、種類の異なるパラメータ名を表示するようにした場合を例示した図である。ここで、表示中の画像の４方向（上下左右）に対応して、その方向別に撮影パラメータ名を表示するようにしている。このように方向別にパラメータ名を表示することにより、例えば、表示中の画像に対して右方向への送りでパラメータ“露出”が変化する画像が表示されること、左方向への送りでパラメータ“ＷＢ（ホワイトバランス）”が変化する画像が表示され、上方向への送りでパラメータ“彩度”が変化する画像が表示され、下方向への送りでパラメータ“絞り”が変化する画像が表示されることを示している。
【００８０】
この場合、送りキーとしての十字キーＫ３が操作される毎に、制御部１は、その方向の画像数分の各画像をシームレスに順次切替え表示するようにしている。例えば、表示中の画像（露出＝−２ＥＶ）に対して、右キーの１回目の操作で次の画像（露出＝ＡＥ）を切替え表示し、２回目の操作で更に次の画像（露出＝＋２ＥＶ）を切替え表示し、３回目の操作で最初の画像（露出＝−２ＥＶ）を切替え表示するようにしている。このように複数の画像の配列状態に関する情報を指標表示する場合に、送り方向に撮影パラメータを対応付けて表示するようにすれば、送り方向でパラメータを識別することができ、操作性の向上に役立つ。
【００８１】
図１７（２）は、４種類の撮影パラメータで、送り方向が８方向の場合を例示した図である。すなわち、４種類の撮影パラメータを上下、左右、左斜め、右斜めの各方向に対応付けて送り方向を含む撮影パラメータ名を表示する場合を例示した図である。この場合、表示中の画像においてその左右方向のパラメータは“露出＋”、“露出−”、右斜め方向のパラメータは“ホワイトバランス（ＷＢ＋）”、“（ＷＢ−）”、上下方向のパラメータは“彩度＋”、“彩度−”、左斜め方向のパラメータは“フォーカス＋”、“フォーカス−”とした場合である。
【００８２】
この場合、上下左右のパラメータ“露出＋”、“露出−”“彩度＋”、“彩度−”の送りは、対応する上下左右キーを操作して行うが、各斜め方向へのパラメータ“ＷＢ＋”、“ＷＢ−”、“フォーカス＋”、“フォーカス−”の送りは、２つのキーを同時押しで行うようにしている。すなわち、パラメータの“ＷＢ＋”の送りは、右キーと上キーの同時押し、“フォーカス−”の送りは、左キーと上キーの同時押し、“ＷＢ−”の送りは、左キーと下キーの同時押し、“フォーカス＋”の送りは、右キーと下キーの同時押し操作によって行うようにしている。このように複数の画像の配列状態に関する情報を方向別に指標表示する場合に、８方向に対応付けて、複数種（８種類）の撮影パラメータ名を表示するようにすれば、撮影パラメータを多彩に変化させたブラケット撮影の画像を確認することができる。
【００８３】
上述した実施形態においては、複数の画像の配列状態に関する情報を方向別に指標表示する場合に、ブラケット撮影の画像に適用したが、１枚撮影された画像に適用するようにしてもよい。図１８は、１枚撮影された画像に適用したもので、各画像のヘッダー情報に、複数種のパラメータとして撮影日時及び名前が記憶されている場合に、表示中の画像の４方向（上下左右）に対応して、その方向別にパラメータ名と画像送りが可能な画像数を数値表示した場合の表示例である。図中、“名前＋７”は、名前パラメータの順方向への送り画像数が７枚であることを示し、“名前−５”は、名前パラメータの逆方向への送り画像数が５枚、“日時＋６”は、日時パラメータの順方向への送り画像数が６枚、“日時−６”は、日時パラメータの逆方向への送り画像数が６枚であることを示した指標である。
【００８４】
上述した実施形態においては、複数の画像としてブラケット撮影された画像を例示したが、ブラケット撮影に限らず、マニュアル操作で複数種の撮影パラメータを変化させながら得られた複数の画像であっても同様に適用可能である。
【００８５】
上述した実施形態においては、複数の画像の配列状態に関する情報を方向別に指標表示する場合に、複数のデータとして撮影画像を例示したが、撮影画像に限らず、テキストデータ（ファイル）であってもよい。
図１９は、複数のデータをテキストデータに適用したもので、各テキストデータには、複数種のパラメータとしてサイズ及び名前が記憶されている場合に、図１９（１）は、表示中のデータ（テキストの先頭から表示可能な文字数のデータ）の上下左右の４方向に対応して、その方向別にパラメータ名を表示した場合を例示した図である。図中、名前＋”は、名前パラメータの順方向への送り、“名前−”は、名前パラメータの逆方向への送りを示す指標であり、“サイズ＋”は、ファイルサイズパラメータの順方向への送り、“サイズ−”は、ファイルサイズパラメータの逆方向への送りを示した指標である。
【００８６】
図１９（２）は、方向別のパラメータ名とデータ送りが可能なデータ数（ファイル数）を数値表示した場合の表示例である。表示中のデータ（テキストの先頭から表示可能な文字数のデータ）の上下左右の４方向に対応して、その方向別にパラメータ名と、データ送りが可能なファイル数を数値表示した場合を例示した図である。図中、“名前＋１”は、名前パラメータの順方向への送りファイル数が１データであることを示し、“名前−１１”は、名前パラメータの逆方向への送りファイル数が１１データ、“サイズ＋６”は、サイズパラメータの順方向への送りデータ数が６ファイル、“サイズ−７”は、サイズパラメータの逆方向への送りデータ数が７ファイルであることを示した指標である。
【００８７】
上述した実施形態においては、再生時の送り操作として、上下左右の方向を指示する十字キーＫ３を操作するようにしたが、これに限らず、その他の操作子であってもよい。この場合、撮影時に撮影パラメータ毎その値を変更するために使用する専用操作子を兼用してもよい。例えば、露出パラメータであれば、露出補正ダイヤル、ズームパラメータであれば、ズームリング、フォーカスパラメータであれば、フォーカスリングなどであってもよい。また、タッチパネル上のタッチ操作（フリック操作、タップ操作など）であってもよく、この場合、５方向以上の操作が容易となる。また、  上述した実施形態においては、シーン選択画面からユーザが任意に撮影シーンを選択するようにしたが、撮影状況から自動で撮影シーンを判別して選択するようにしてもよい。
【００８８】
上述した実施形態においては、仮想的に２次元配列した場合を示したが、配列は３次元以上でもよく、また１次元であってもよい。
【００８９】
上述した実施形態においては、複数のデータを個別に表示するデータ表示装置としてデジタルカメラ（撮像装置）に適用した場合を示したが、デジタルカメラに限らず、パーソナルコンピュータ、ＰＤＡ（個人向け携帯型情報通信機器）、タブレット端末、スマートフォンなどの携帯電話機、電子ゲーム、音楽プレイヤーなどにも同様に適用可能である。
【００９０】
また、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００９１】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
複数のデータを複数種のパラメータに応じて仮想的な複数次元に配列するデータ配列手段と、
前記データ配列手段により配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する指標表示手段と、
前記複数のデータの送り方向の中から任意の方向が選択されてその方向へのデータ送りが指示された際に、その指示方向にデータを送って表示対象を更新する更新手段と、
を備えたことを特徴とするデータ表示装置である。
（請求項２）
請求項２に記載の発明は、請求項１に記載のデータ表示装置において、
前記複数のデータの配列状態に関する情報は、前記表示対象として選択されている表示中のデータを起点として各次元の配列送り方向にデータ送りが可能なデータ数であり、
前記指標表示手段は、前記複数の送り方向の個々に対応付けて、前記データ送りが可能なデータ数を表示する、
ことを特徴とするデータ表示装置である。
（請求項３）
請求項３に記載の発明は、請求項２に記載のデータ表示装置において、
前記指標表示手段は、前記複数のデータの配列状態に関する情報として、表示中のデータの背後に、データ送り方向別にデータ送りが可能なデータをその一端部がはみ出るようにその表示位置をずらしながらデータ送りが可能なデータ数分重ね合わせて表示する、
ことを特徴とするデータ表示装置である。
（請求項４）
請求項４に記載の発明は、請求項２に記載のデータ表示装置において、
前記指標表示手段は、前記配列状態に関する情報として、データ送り方向別にデータ送りが可能なデータ数を明示するために、そのデータ数を数値表示する、
ことを特徴とするデータ表示装置である。
（請求項５）
請求項５に記載の発明は、請求項１〜請求項４のいずれか１項に記載のデータ表示装置において、
前記複数のデータの配列状態に関する情報は、前記複数のデータ送り方向と前記複数種のパラメータとの対応情報であり
前記指標表示手段は、前記各データ送り方向に対応付けて前記パラメータの種類を示す表示を行う、
ことを特徴とするデータ表示装置である。
（請求項６）
請求項６に記載の発明は、請求項１〜請求項５のいずれか１項に記載のデータ表示装置において、
前記複数のデータは、複数種の撮影パラメータを変更しながら複数回の撮影を連続して行うブラケット撮影によって得られた複数枚の撮影画像である、
ことを特徴とするデータ表示装置である。
（請求項７）
請求項７に記載の発明は、請求項６に記載のデータ表示装置において、
前記ブラケット撮影用の複数種の撮影パラメータと撮影枚数を任意に設定する第１の設定手段を更に備え、
前記ブラケット撮影は、前記複数種の撮影パラメータを変更しながら前記撮影枚数分の連続撮影を行う、
ことを特徴とするデータ表示装置である。
（請求項８）
請求項８に記載の発明は、請求項７に記載のデータ表示装置において、
前記第１の設定手段は、前記撮影パラメータ毎に任意の撮影枚数を設定する、
ことを特徴とするデータ表示装置である。
（請求項９）
請求項９に記載の発明は、請求項６〜請求項８のいずれか１項に記載のデータ表示装置において、
前記複数のデータは、複数種の撮影パラメータを変更しながら複数回の撮影を連続して行うブラケット撮影によって得られた複数枚の撮影画像であり、
前記ブラケット撮影された複数枚の撮影画像と、１枚撮影された画像とが混在して記憶されている状態において、前記１枚撮影の画像を送る操作と同様の１回の操作で、前記ブラケット撮影された複数枚の撮影画像を単位としてグループ送りする操作手段を更に備える、
ことを特徴とするデータ表示装置である。
（請求項１０）
請求項１０に記載の発明は、請求項１〜請求項９のいずれか１項に記載のデータ表示装置において、
前記ブラケット撮影用の複数種の撮影パラメータと前記複数の送り方向との対応を任意に設定する第２の設定手段を更に備える、
ことを特徴とするデータ表示装置である。
（請求項１１）
請求項１１に記載の発明は、請求項１〜請求項１０のいずれか１項に記載のデータ表示装置において、
前記複数のデータを一覧表示させるか個別に表示させるかを切替える切替手段を更に備える、
ことを特徴とするデータ表示装置である。
（請求項１２）
請求項１２に記載の発明は、請求項１〜請求項１１のいずれか１項に記載のデータ表示装置において、
前記更新手段によって表示対象として更新されたデータが個別に表示されている状態において、その表示中のデータが前記複数次元の配列内のどの位置に配列されているかを案内表示する案内手段を更に備える、
ことを特徴とするデータ表示装置である。
（請求項１３）
請求項１３に記載の発明は、
複数のデータを複数種のパラメータに応じて仮想的な複数次元に配列するステップと、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示するステップと、
前記複数のデータの送り方向の中から任意の方向が選択されてその方向へのデータ送りが指示された際に、その指示方向にデータを送って表示対象を更新するステップと、
を含むことを特徴とするデータ表示方法である。
（請求項１４）
請求項１４に記載の発明は、
コンピュータに対して、
複数のデータを複数種のパラメータに応じて仮想的な複数次元に配列する機能と、
前記配列された前記複数のデータの中から表示対象として選択されているデータの配列位置を起点とし、その起点から各次元の配列方向にデータ送りが可能であることを明示するための指標として、そのデータ送りが可能な複数の方向に対応付けて、前記複数のデータの各次元の配列方向に対する配列状態に関する情報を識別可能に表示する機能と、
前記複数のデータの送り方向の中から任意の方向が選択されてその方向へのデータ送りが指示された際に、その指示方向にデータを送って表示対象を更新する機能と、
を実現させるためのプログラムである。
【符号の説明】
【００９２】
１  制御部
３  記憶部
３ａ  プログラムメモリ
３ｄ  シーン別ブラケット固定テーブル
３ｅ  シーン別ブラケット可変テーブル
４  操作部
５  表示部
６  撮像部
Ｋ３  十字キー
Ｋ４  決定キー（ＳＥＴ）
【図１】
0005867907.tif 000002
【図２】
0005867907.tif 000003
【図３】
0005867907.tif 000004
【図４】
0005867907.tif 000005
【図５】
0005867907.tif 000006
【図６】
0005867907.tif 000007
【図７】
0005867907.tif 000008
【図８】
0005867907.tif 000009
【図９】
0005867907.tif 000010
【図１０】
0005867907.tif 000011
【図１１】
0005867907.tif 000012
【図１２】
0005867907.tif 000013
【図１３】
0005867907.tif 000014
【図１４】
0005867907.tif 000015
【図１５】
0005867907.tif 000016
【図１６】
0005867907.tif 000017
【図１７】
0005867907.tif 000018
【図１８】
0005867907.tif 000019
【図１９】
0005867907.tif 000020